【手続補正書】
【提出日】平成30年4月12日(2018.4.12)
【手続補正１】
【補正対象書類名】特許請求の範囲
【補正対象項目名】全文
【補正方法】変更
【補正の内容】
【特許請求の範囲】
【請求項１】
マルチアンテナワイヤレス通信デバイスにおける送信電力平衡の方法であって、
基地局において、ユーザ機器(UE)へのデータチャネルのシングルストリーム送信のためのデータブロックを受信するステップと、
各々が前記基地局における複数のアンテナのうちのそれぞれ1つを介して送信するためのものである、複数のプリコーディングされたデータブロックを生成するために、前記データブロックをプリコーディングするステップであって、制約無しプリコーディング重みセットから前記複数のアンテナの各々のためのプリコーディング重みを選択するステップを含む、ステップと、
前記データブロックの前記送信のために前記複数のアンテナ上の電力出力を平衡させるステップと、
前記複数のアンテナを介して前記データブロックを前記UEに送信するステップと
を含み、
前記複数のアンテナ上の前記電力出力を前記平衡させるステップが、前記複数のプリコーディングされたデータブロックに仮想アンテナマッピングをバイパスするようにさせるステップを含む、方法。
【請求項２】
前記基地局において、少なくとも1つのオーバーヘッドチャネルのための少なくとも1つのオーバーヘッドブロックを受信するステップであって、前記少なくとも1つのオーバーヘッドブロックが、前記データチャネルに関連付けられた制御情報を含む、ステップと、
各々が前記複数のアンテナのうちのそれぞれ1つを介して前記UEに送信するためのものである、複数のマッピングされたオーバーヘッドブロックを生成するために、仮想アンテナマッピングを前記少なくとも1つのオーバーヘッドブロックに適用するステップと
をさらに含み、
前記送信するステップが、前記仮想アンテナマッピングをバイパスした後の前記複数のプリコーディングされたデータブロックのうちのそれぞれ1つと、前記複数のアンテナのうちのそれぞれ1つを介した前記複数のマッピングされたオーバーヘッドブロックのうちのそれぞれ1つとを加えたものを送信するステップを含む、
請求項1に記載の方法。
【請求項３】
前記少なくとも1つのオーバーヘッドチャネルが、プライマリ共通パイロットチャネル(P-CPICH)、セカンダリ共通パイロットチャネル(S-CPICH)、またはプライマリ共通制御物理チャネル(P-CCPCH)のうちの少なくとも1つを含む、請求項2に記載の方法。
【請求項４】
前記複数のアンテナ上の前記電力出力を前記平衡させるステップが、
複数の逆マッピングされたプリコーディングされたデータブロックを生成するために、前記プリコーディング中に逆マッピングパラメータを前記データブロックに適用するか、または前記複数のプリコーディングされたデータブロックの各々に適用するステップと、
前記複数のプリコーディングされたデータブロックを生成するために、仮想アンテナマッピングを前記複数の逆マッピングされたプリコーディングされたデータブロックに適用するステップと
を含み、
前記逆マッピングパラメータが、マッピングパラメータの逆数である、
請求項1に記載の方法。
【請求項５】
前記基地局において、少なくとも1つのオーバーヘッドチャネルのための少なくとも1つのオーバーヘッドブロックを受信するステップであって、前記少なくとも1つのオーバーヘッドブロックが、前記データチャネルに関連付けられた制御情報を含む、ステップと、
各々が前記複数のアンテナのうちのそれぞれ1つを介して前記UEに送信するためのものである、複数のマッピングされたオーバーヘッドブロックを生成するために、仮想アンテナマッピングを前記少なくとも1つのオーバーヘッドブロックに適用するステップと
をさらに含み、
前記送信するステップが、前記仮想アンテナマッピングを前記適用した後の前記複数のプリコーディングされたデータブロックのうちのそれぞれ1つと、前記複数のアンテナのうちのそれぞれ1つを介した前記複数のマッピングされたオーバーヘッドブロックのうちのそれぞれ1つとを加えたものを送信するステップを含む、
請求項4に記載の方法。
【請求項６】
前記少なくとも1つのオーバーヘッドチャネルが、プライマリ共通パイロットチャネル(P-CPICH)、セカンダリ共通パイロットチャネル(S-CPICH)、またはプライマリ共通制御物理チャネル(P-CCPCH)のうちの少なくとも1つを含む、請求項5に記載の方法。
【請求項７】
前記データチャネルが、高速物理ダウンリンク共有チャネル(HS-PDSCH)を含む、請求項1に記載の方法。
【請求項８】
前記UEからPCI値を受信するステップをさらに含み、前記プリコーディングするステップが、前記受信されたPCI値に基づく、請求項1に記載の方法。
【請求項９】
前記制約無しプリコーディング重みセットが、プリコーディング重みセットの制約を回避するプリコーディング重みのセットを含む、請求項1に記載の方法。
【請求項１０】
マルチアンテナワイヤレス通信デバイスにおける送信電力平衡のための装置であって、
基地局において、ユーザ機器(UE)へのデータチャネルのシングルストリーム送信のためのデータブロックを受信するための手段と、
各々が前記基地局における複数のアンテナのうちのそれぞれ1つを介して送信するためのものである、複数のプリコーディングされたデータブロックを生成するために、前記データブロックをプリコーディングするための手段であって、制約無しプリコーディング重みセットから前記複数のアンテナの各々のためのプリコーディング重みを選択するための手段を含む、手段と、
前記データブロックの前記送信のために前記複数のアンテナ上の電力出力を平衡させるための手段と、
前記複数のアンテナを介して前記データブロックを前記UEに送信するための手段と
を備え、
前記複数のアンテナ上の前記電力出力を前記平衡させるための手段が、前記複数のプリコーディングされたデータブロックに仮想アンテナマッピングをバイパスするようにさせることを含む、装置。
【請求項１１】
前記基地局において、少なくとも1つのオーバーヘッドチャネルのための少なくとも1つのオーバーヘッドブロックを受信するための手段であって、前記少なくとも1つのオーバーヘッドブロックが、前記データチャネルに関連付けられた制御情報を含む、手段と、
各々が前記複数のアンテナのうちのそれぞれ1つを介して前記UEに送信するためのものである、複数のマッピングされたオーバーヘッドブロックを生成するために、仮想アンテナマッピングを前記少なくとも1つのオーバーヘッドブロックに適用するための手段と
をさらに備え、
前記送信するための手段が、前記仮想アンテナマッピングをバイパスした後の前記複数のプリコーディングされたデータブロックのうちのそれぞれ1つと、前記複数のアンテナのうちのそれぞれ1つを介した前記複数のマッピングされたオーバーヘッドブロックのうちのそれぞれ1つとを加えたものを送信するための手段を含む、
請求項10に記載の装置。
【請求項１２】
前記少なくとも1つのオーバーヘッドチャネルが、プライマリ共通パイロットチャネル(P-CPICH)、セカンダリ共通パイロットチャネル(S-CPICH)、またはプライマリ共通制御物理チャネル(P-CCPCH)のうちの少なくとも1つを含む、請求項11に記載の装置。
【請求項１３】
前記複数のアンテナ上の前記電力出力を前記平衡させるための手段が、
複数の逆マッピングされたプリコーディングされたデータブロックを生成するために、前記プリコーディング中に逆マッピングパラメータを前記データブロックに適用するか、または前記複数のプリコーディングされたデータブロックの各々に適用するための手段と、
前記複数のプリコーディングされたデータブロックを生成するために、仮想アンテナマッピングを前記複数の逆マッピングされたプリコーディングされたデータブロックに適用するための手段と
を備え、
前記逆マッピングパラメータが、マッピングパラメータの逆数である、
請求項10に記載の装置。
【請求項１４】
前記基地局において、少なくとも1つのオーバーヘッドチャネルのための少なくとも1つのオーバーヘッドブロックを受信するための手段であって、前記少なくとも1つのオーバーヘッドブロックが、前記データチャネルに関連付けられた制御情報を含む、手段と、
各々が前記複数のアンテナのうちのそれぞれ1つを介して前記UEに送信するためのものである、複数のマッピングされたオーバーヘッドブロックを生成するために、仮想アンテナマッピングを前記少なくとも1つのオーバーヘッドブロックに適用するための手段と
をさらに備え、
前記送信するための手段が、前記仮想アンテナマッピングを前記適用した後の前記複数のプリコーディングされたデータブロックのうちのそれぞれ1つと、前記複数のアンテナのうちのそれぞれ1つを介した前記複数のマッピングされたオーバーヘッドブロックのうちのそれぞれ1つとを加えたものを送信するための手段を含む、
請求項13に記載の装置。
【請求項１５】
マルチアンテナワイヤレス通信デバイスにおける送信電力平衡のためのコードを記憶するコンピュータ可読記憶媒体であって、前記コードが、請求項1に記載の方法
を行うように実行可能な命令を備える、コンピュータ可読記憶媒体。